【事件の表示】
　平成２年特許願第１２２５３７号「画像形成装置」拒絶査定に対する審判事件［平成４年１月２２日出願公開、特開平４−１８５７６］について、次のとおり審決する。
【結　論】
　本件審判の請求は、成り立たない。
【理　由】
１．手続の経緯・本願発明
　本願は、平成２年５月１２日の出願であって、その請求項１に係る発明（以下、「本願発明」という。）は、平成９年１月２１日付け、平成１１年８月２６日付け、及び平成１１年１２月２日付け手続補正により補正された明細書及び図面の記載からみて、その特許請求の範囲の請求項１に記載された次のとおりのものである。
「静電潜像担持体表面に接触してなる帯電装置により表面を帯電させた静電潜像担持体に画像露光して静電潜像を形成し、該潜像を現像装置により現像して可視像化し、該可視像を転写材へ転写する画像形成装置において、前記現像装置を、現像バイアス電圧が印加され、表面が一成分現像剤を担持する現像剤担持体を含む構成とし、該現像剤担持体を、接触幅がｌｍｍ以上になるように前記静電潜像担持体に接触させて配置し、前記転写後に前記静電潜像担持体表面に残留する現像剤を除去するクリーニング専用のクリーニング装置を備えることなく、前記現像剤担持体に、前記転写後の前記静電潜像担持体上の残留現像剤を除去させるようにしたことを特徴とする画像形成装置。」
２．引用例
　これに対して、原査定の拒絶の理由に引用された特開昭６１−４２６６９号公報（以下、「引用例１」という。）には、
「本発明は、電子写真装置の感光ドラムにおけるクリーニング装置を不要とする電子写真の帯電装置に関する。」（第１頁右下欄第２行〜同欄第４行参照）、
「第１図は本発明の第１の実施例を示す感光ドラム近傍の概略側断面図であり、１は円筒形の導電基材、２は導電基材１の外周面に形成した感光体、３は前記構成による感光ドラム、４は感光ドラム３に接触配置した導電性ブラシあるいは導電性ゴムロール等による導電性媒体としての帯電ロールであり、・・中略・・５は帯電ロール４の中心部に位置する導電性のシヤフトであり、該シヤフト５は図示されていないが高圧電源の出力部と接続されている。６は前記感光ドラム３の露光を行なうために前記感光ドラム３に対向配置した光学ヘツド、７はトナーを収容し開口部のロールによつてトナーを感光ドラム３へと搬送する現像器、８はトナー、９は感光ドラム３に現像によつて付着したトナー８を後記する用紙に転写する転写器、１０は感光ドラム３と前記転写器９間を通過し画像を形成する用紙である。」（第２頁左下欄第７行〜同頁右下欄第４行参照）、
「本発明の第１の実施例は前記のような構成となつており、次にその動作を説明する。感光ドラム３は矢印Ａ方向へ回転し、帯電ロール４は矢印Ｂ方向へ回転する。該帯電ロール４はシヤフト５によつて図示されていない高圧電源の出力部から電圧を導入し、感光ドラム３との接触部において感光ドラム３を帯電する。・・中略・・そして、感光ドラム３は矢印Ａ方向に回転しているので、帯電ロール４との接触部を順次移動して感光ドラム３の帯電は行われている。前記のようにして、帯電された感光ドラム３の表面は矢印Ａ方向の回転によつて光学ヘツド６へと移動し、光学ヘツド６によつて順次露光され、静電潜像が形成される。この感光ドラム３の静電潜像部は、感光ドラム３の矢印Ａ方向の回転によつて現像器７へと移動し、現像器７が形成するトナーブラシによつて摺擦され、トナー８を付着されて現像される。前記のようにして、現像された感光ドラム３の表面は、感光ドラム３の矢印Ａ方向の回転によつて、搬送されてくる用紙１０へと移動し、対向位置を順次移動しながら転写器９によつて感光ドラム３の表面で画像を形成しているトナー８は用紙１０へと転写される。このトナー８の用紙１０への転写において、すべてのトナー８が転写されるのではなく、その一部が感光ドラム３の表面に残留してしまう。この感光ドラム３の表面に残留したトナー８は、感光ドラム３の矢印Ａ方向への回転によつて帯電ロール４へと運ばれるが、・・中略・・その後、現像器７によつて現像されるときにはトナー８は帯電ローラによつて感光ドラム３から一度離されているために感光ドラム３への付着力が弱くなつており、現像器７に吸収されるか、または再び現像に使用される。」（第２頁右下欄第５行〜第３頁左下欄第４行参照）、
　が図面と共に記載されている。
　そして、引用例１の電子写真装置は、感光ドラムにおけるクリーニング装置を不要とするものであって、感光ドラムの表面にトナーブラシが摺擦する現像時に感光ドラムの表面に残留するトナーを現像器に吸収する構成であり、しかも、該トナーブラシが現像器のロールに形成されることは自明であるから、
　引用例１の電子写真装置は、転写後に感光ドラムの表面に残留するトナーを除去するクリーニング専用のクリーニング装置を備えておらず、また、感光ドラムの表面に残留するトナーは現像器のロールにより吸収される構成として理解される。
　してみると、引用例１には、
「感光ドラムに接触配置した帯電ロールにより帯電が行われた感光ドラムに順次露光して静電潜像を形成し、該静電潜像を現像器により現像してトナーが付着した画像を形成し、該画像を用紙へ転写する電子写真装置において、前記現像器を、トナーを収容し開口部のロールによつてトナーを感光ドラムへと搬送する構成とし、前記転写後に感光ドラムの表面に残留するトナーを除去するクリーニング専用のクリーニング装置を備えることなく、前記開口部のロールに、前記転写後の前記感光ドラムの表面に残留するトナーを吸収させるようにした電子写真装置」、が記載されているものと認められる。
　また、原査定の拒絶査定に引用された特開平１−２４４４８０号公報（以下、「引用例２」という。）には、
「１．無端状トナー担持体およびこれよりも若干径が小さい駆動ローラと、トナー層規制部材からなる一成分トナー現像装置において、上記駆動ローラと無端状トナー担持体との径差に基づき生じるトナー担持体の弛み部を静電潜像担持体に接触させて現像する際、上記静電潜像担持体と無端状トナー担持体との接触部が上記無端状トナー担持体の最大の弛み部より回転下流側に位置することを特徴とする静電潜像現像装置。」（特許請求の範囲参照）、
「薄膜部材１１上に自らの帯電による鏡像力で保持されたトナーＴｏは、現像ローラ１０に従動する薄膜部材１１の動作に従って感光体ドラム１００との対向部（接触部Ｘ）に運ばれると、感光体ドラム１００の表面電位と駆動ローラ１０に印加されているバイアス電圧との電位差に基づき、感光体ドラム１００の表面に形成されている静電潜像に付着してトナー像を形成する。ここで感光ドラム１００と接する薄膜部材１１は、弛み部Ｓを介して駆動ローラ１０と接触状態にあるため、薄膜部材１１は感光体ドラム１００にソフトに、しかも適当なニップ幅をもってむらなく接触し、感光体ドラム１００の静電潜像に均一なトナー像を形成する。」（第３頁右下欄第３行〜同欄第１６行参照）、
「次に、感光体ドラム１００と薄膜部材１１のニップ幅（接触幅）ｂを１ｍｍ〜２ｍｍとした場合の薄膜部材１１の押付量ｄの設定許容幅を考えてみる。」（第４頁左下欄第１２行〜同欄第１５行参照）、
　が図面と共に記載されている。
３．対比・判断
　本願発明と引用例１に記載された発明とを対比すると、
　引用例１の「感光ドラム」、「帯電ロール」、「順次露光して」、「静電潜像」、「現像器」「トナーが付着した画像を形成し」、「画像」、「用紙」、「電子写真装置」、「開口部のロール」、「転写後に感光ドラムの表面に残留するトナー」、「クリーニング専用のクリーニング装置」、「感光ドラムの表面に残留するトナー」、「吸収させる」は、
　各々本願発明の「静電潜像担持体」、「帯電装置」、「画像露光して」、「静電潜像」「現像装置」、「可視像化し」、「可視像」、「転写材」、「画像形成装置」、「現像剤担持体」、「転写後に前記静電潜像担持体表面に残留する現像剤」、「クリーニング専用のクリーニング装置」、「静電潜像担持体上の残留現像剤」、「除去させる」に相当する構成であり、
　また、引用例１には、「７はトナーを収容し開口部のロールによつてトナーを感光ドラム３へと搬送する現像器」、「この感光ドラム３の静電潜像部は、感光ドラム３の矢印Ａ方向の回転によつて現像器７へと移動し、現像器７が形成するトナーブラシによつて摺擦され、トナー８を付着されて現像される」と記載されており、トナーブラシによる現像法が、一成分現像剤による接触現像の一種として慣用技術（必要があれば、電子写真学会編「電子写真技術の基礎と応用」株式会社コロナ社　昭和６３年６月１５日　初版第１刷発行　Ｐ．１５８〜１５９を参照）であることを考慮すると、引用例１の電子写真装置は一成分現像剤により接触現像されるものであって、現像器におけるロールは、表面が一成分現像剤を担持する構成として理解されるから、
　表現は相違するが、両者は、
「静電潜像担持体表面に接触してなる帯電装置により表面を帯電させた静電潜像担持体に画像露光して静電潜像を形成し、該潜像を現像装置により現像して可視像化し、該可視像を転写材へ転写する画像形成装置において、
前記現像装置を、表面が一成分現像剤を担持する現像剤担持体を含む構成とし、　前記転写後に前記静電潜像担持体表面に残留する現像剤を除去するクリーニング専用のクリーニング装置を備えることなく、前記現像剤担持体に、前記転写後の前記静電潜像担持体上の残留現像剤を除去させるようにした画像形成装置」の点で一致しており、以下の点で相違している。
（相違点）
　現像装置に関し、本願発明は、「現像バイアス電圧が印加され、現像剤担持体を、接触幅がｌｍｍ以上になるように静電潜像担持体に接触させて配置し」を構成としているのに対し、引用例１には、現像バイアス電圧が印加される構成が明示されておらず、また、引用例１の現像剤担持体は、トナーブラシを介して静電潜像に接触するものであって、現像剤担持体を、接触幅がｌｍｍ以上になるように静電潜像担持体に接触させて配置する構成は記載されていない。
　そこで、上記相違点について検討するに、
　引用例２には、一成分トナー現像装置に関し、「トナーＴｏは、薄膜部材１１の動作に従って感光体ドラム１００との対向部に運ばれると、感光体ドラム１００の表面電位と駆動ローラ１０に印加されているバイアス電圧との電位差に基づき、感光体ドラム１００の表面に形成されている静電潜像に付着してトナー像を形成する」旨、「薄膜部材１１は感光ドラム１００に、適当なニップ幅をもってむらなく接触し、感光体ドラム１００の静電潜像に均一なトナー像を形成する」旨、「感光体ドラム１００と薄膜部材１１のニップ幅（接触幅）ｂを１ｍｍ〜２ｍｍとした場合の薄膜部材１１の押付量ｄの設定許容幅を考えてみる」旨、記載されており、
　引用例２の「バイアス電圧」、「薄膜部材」、「感光体ドラム」は、各々本願発明の「現像バイアス電圧」、「現像剤担持体」、「静電潜像担持体」に相当する構成として理解されるから、
　引用例２からは、一成分トナー現像装置に関し、上記相違点である「現像バイアス電圧が印加され、現像剤担持体を、接触幅がｌｍｍ以上になるように前記静電潜像担持体に接触させて配置し」に相当する構成が把握される。
　ここで、引用例１に引用例２の現像装置を適用することが、当業者にとって容易であるか否かについて更に検討するに、
　引用例２の現像装置は、引用例１の現像装置と同様に一成分現像剤を用いた接触現像である点で共通する技術であり、
　加えて、転写材に転写した後に静電潜像担持体上に残留するトナーを、クリーニング装置を兼ねる現像機によりクリーニングする技術において、現像機として二成分現像剤を使用するマグネットローラー式現像機以外の形式のものを用いることもでき、例えば現像剤としては磁性粉を含むトナー、摩擦帯電によって静電的吸着力を持たせて用いる一成分現像剤等を用いることができ、現像機としてはマグネットローラの他にバイアス電圧を印加した弾性ローラを用いたものを採用したり、あるいは公知のカスケード現像機を採用したりできること、及び、現像剤担持体に印加される現像バイアスの電圧により上記クリーニングができることは、例えば特開昭５５−１１２２２号公報に記載のように周知技術であって、上記周知技術は、現像手段が異なっても、現像剤担持体に印加される現像バイアスにより、現像ばかりでなく、転写後の静電潜像担持体上の残留現像剤を除去することができる技術を開示するものと認められることから、上記周知技術は、引用例２の現像装置が転写後の静電潜像担持体上の残留現像剤を除去させることができる事項を示唆するものと認められ、
　当業者にとって、引用例１に引用例２を適用して上記相違点の構成を想到することに困難性は認められない。
　また、本願発明の奏する作用効果として、上記引用例１〜２及び周知技術が奏する作用効果から予測される以上のものは認められない。
　したがって、本願発明は、上記引用例１〜２及び周知技術に基いて当業者が容易に発明をすることができたものと認められる。
４．むすび
　以上のとおりであるから、本願発明は、引用例１〜２及び周知技術に基いて当業者が容易に発明をすることができたものであり、特許法第２９条第２項の規定により特許を受けることができない。
　よって、結論のとおり審決する。